(57)【要約】【解決手段】航空機ギャレーの冷却器の気流を逆行させる装置は、供給気流ダクト（２０）と還気流ダクト（２８）との間に連結された空気バイパスポート（３０）を備え、空気再循環バイパスフラップ（３２）は、供給気流ダクト（２０）を介した通常の気流循環を可能にする閉鎖位置と、供給気流ダクト（２０）を塞ぎ、再循環のために冷却された供給気流を還気流ダクト（２８）に迂回させる開放位置との間で移動可能である。空気再循環バイパスフラップ（３２）は、ベイドア位置検出器（３６）に応答してソレノイド（３４）によって電気的に作動される。【選択図】図１
2016533961.tif 000002
【特許請求の範囲】
【請求項１】
ギャレー食事カートベイドアを有する少なくとも１つのギャレー食事カートを備える航空機ギャレーの空気冷却器供給空気再循環システムの冷却器の気流を逆行させる装置であって、
供給気流ダクト及び還気流ダクトを備えるギャレー冷却器空気供給及び還気ダクトアセンブリであって、前記供給気流ダクトは、冷却器装置から冷却された供給気流を受けるように構成された供給気流ダクト入口部分と、冷却された空気を少なくとも１つのギャレー食事カートまたはカートベイに供給するように構成された供給気流ダクト出口部分と、を有し、前記還気流ダクトは、少なくとも１つのギャレー食事カートまたはカートベイから還気流を受けるように構成された還気入口部分と、前記還気流を前記冷却器装置に供給するように構成された還気出口部分と、を有する、ギャレー冷却器空気供給及び還気ダクトアセンブリと、
前記供給気流ダクトと、前記還気流ダクトとの間に流体連通するように連結された空気バイパスポートと、
前記空気バイパスポートに隣接して移動可能に取り付けられた空気再循環バイパスフラップであって、前記空気再循環バイパスフラップは、閉鎖構成と開放構成との間で移動可能であり、前記閉鎖構成は、前記供給気流ダクトを介した通常の気流循環を可能にし、前記開放構成は、前記供給気流ダクトの少なくともかなりの部分を塞ぎ、前記冷却器装置への再循環のため、前記冷却された供給気流の少なくともかなりの部分を前記還気流ダクトに迂回させる、空気再循環バイパスフラップと、
電気的に作動された前記空気再循環バイパスフラップに動作可能に連結され、前記閉鎖構成と前記開放構成との間で前記空気再循環バイパスフラップを移動させるように構成されたソレノイドと、
を備える装置。
【請求項２】
前記還気流ダクトは、前記供給気流ダクトの少なくとも一部に隣接した連結部分を備え、前記空気バイパスポートは、前記連結部分に配置される、
請求項１に記載の装置。
【請求項３】
前記空気再循環バイパスフラップは、電気的に作動される、
請求項１に記載の装置。
【請求項４】
前記空気再循環バイパスフラップは、前記閉鎖構成に付勢される、
請求項１に記載の装置。
【請求項５】
ギャレー食事カートベイドアの開放を検出し、前記ギャレー食事カートベイドアの開放を示す電気信号を生成するように構成されたベイドア位置検出器をさらに備え、
前記ソレノイドは、前記ベイドア位置検出器に電気的に接続されて、前記ギャレー食事カートベイドアの開放を示す電気信号を受信し、前記ソレノイドは、前記ギャレー食事カートベイドアの開放を示す電気信号に応答して、前記空気再循環バイパスフラップを、前記閉鎖構成と、前記開放構成との間で移動させるように構成される、
請求項１に装置。
【請求項６】
前記ベイドア位置検出器は、マイクロスイッチを備える、
請求項５に記載の装置。
【請求項７】
前記ベイドア位置検出器は、光電池を備える、
請求項５に記載の装置。
【請求項８】
前記空気再循環バイパスフラップの手動制御のためのマニュアルオーバーライド制御装置をさらに備える、
請求項１に記載の装置。
【請求項９】
前記空気再循環バイパスフラップが前記閉鎖構成にあるのか、または、前記開放構成にあるのかを示すように構成された視覚的状態指示器をさらに備える、
請求項１に記載の装置。
【請求項１０】
ギャレー食事カートベイドアを有する少なくとも１つのギャレー食事カートを備える航空機ギャレーの空気冷却器供給空気再循環システムの冷却器の気流を逆行させる装置であって、
供給気流ダクト及び還気流ダクトを備えるギャレー冷却器空気供給及び還気ダクトアセンブリであって、前記供給気流ダクトは、冷却器装置から冷却された供給気流を受けるように構成された供給気流ダクト入口部分と、前記冷却された空気を少なくとも１つのギャレー食事カートに供給するように構成された供給気流出口部分と、を有し、前記還気流ダクトは、前記少なくとも１つのギャレーカートから還気流を受けるように構成された還気入口部分と、前記冷却器装置に前記還気流を供給するように構成された還気出口部分と、を有する、ギャレー冷却器空気供給及び還気ダクトアセンブリと、
前記供給気流ダクトと前記還気流ダクトとの間に流体連通するように連結された空気バイパスポートと、
前記空気バイパスポートに隣接して移動可能に取り付けられた空気再循環バイパスフラップであって、前記空気再循環バイパスフラップは、閉鎖構成と開放構成との間で移動可能であり、前記閉鎖構成は、前記供給気流ダクトを介した通常の気流循環を可能にし、前記開放構成は、前記供給気流ダクトの少なくともかなりの部分を塞ぎ、前記冷却器装置への再循環のため、前記冷却された供給気流のすくなくともかなりの部分を前記還気流ダクトに迂回させる、空気再循環バイパスフラップと、
ギャレー食事カートベイドアの開放を検出し、前記ギャレー食事カートベイドアの開放を示す電気信号を生成するように構成されたベイドア位置検出器と、
前記ベイドア位置検出器に電気的に連結されて前記ギャレー食事カートベイドアの開放を示す電気信号を受けるソレノイドであって、前記ソレノイドは、電気的に作動された前記空気再循環バイパスフラップに動作可能に連結され、前記ギャレー食事カートベイドアの開放を示す電気信号に応答して、前記空気再循環バイパスフラップを前記閉鎖構成と前記開放構成との間で移動させるように構成された、ソレノイドと、
を備える、装置。
【請求項１１】
前記還気流ダクトは、前記供給気流ダクトの少なくとも一部に隣接した連結部分を備え、前記空気バイパスポートは、前記連結部分に配置される、
請求項１０に記載の装置。
【請求項１２】
前記空気再循環バイパスフラップは、電気的に作動される、
請求項１０に記載の装置。
【請求項１３】
前記空気再循環バイパスフラップは、前記閉鎖構成に付勢される、
請求項１０に記載の装置。
【請求項１４】
前記ベイドア位置検出器は、マイクロスイッチを備える、
請求項１０に記載の装置。
【請求項１５】
前記ベイドア位置検出器は、光電池を備える、
請求項１０に記載の装置。
【請求項１６】
前記空気再循環バイパスフラップの手動制御のためのマニュアルオーバーライド制御装置をさらに備える、
請求項１０に記載の装置。
【請求項１７】
前記空気再循環バイパスフラップが、前記閉鎖構成にあるのか、または、前記開放構成にあるのかを示すように構成された視覚的状態指示器をさらに備える、
請求項１０に記載の装置。
【発明の詳細な説明】
【技術分野】
【０００１】
関連出願の相互参照
本出願は、２０１３年８月３０日に出願された米国特許出願第６１／８７２，４２０号、及び、２０１４年８月２１日に出願された米国特許出願第１４／４６４，９８８号の優先権を主張し、それらの内容を参照により組み込む。
【背景技術】
【０００２】
本発明は、一般的に、輸送機ギャレーシステムに関し、特に、航空機ギャレー食事カートを冷却するのに用いられる空気冷却器供給空気再循環システムへのシステムに関する。
【０００３】
現代の輸送機の航空機ギャレーシステムは、客室乗務員によって乗客に食事が提供される前に食事の腐敗を防止するため、冷却された食事カートを組み込む。これらの食事カートは、一般的に、食事カートの内部を冷却するために、エアダクトを介して冷却された空気を供給するように設計されたギャレーの冷気供給システムと接続している。ギャレー冷却システムは、一般的に、ギャレーキャビネットに搭載され、冷気がギャレー冷却システムから排出され、ギャレーキャビネットのギャレー食事カートの上を、または、ギャレー食事カートの中を通って循環し、ギャレー冷却システムに戻り、再び冷却され、排出されるようにする。しかし、このようなギャレー冷却システムは、飛行中の動作の間、ギャレーの冷却されたコンパートメントのベイドアを開けることで、暑く、湿度の高い気候の際、ギャレー領域の室内空間を冷却するのに誤って用いられてしまうことがあり、それにより、必要設定温度以下にギャレー食事カートの冷却された食事を維持することが難しくなり、一般的に、ギャレー冷却システムに多量の温かく湿った空気を取り込むことになり、ギャレー空気冷却器装置の蒸発器の凍結を起こし、このようなギャレー空気冷却器の時期尚早な、及び／または、予定外の除霜サイクルを必要とする。
【０００４】
室内及び室外の空気が供給される空調除湿システムであって、室内の空気が、熱交換器を通ることで冷却されずに、熱交換器の周囲に延びるバイパスダクトを介してフェース及びバイパスダンパによって、入力混合プレナムから熱交換器の出力の出力混合プレナムまで導かれ、入力混合プレナムを通って流れる空気の冷却が制御される、空調除湿システムが知られている。冷媒圧縮機の動作を変更することにより、及び、空気が冷却される拡張装置を通る経路と、拡張装置を迂回する経路との間で空気を再循環させる流れを変更することにより、冷却速度を制御する別の空調システムが知られている。第１及び第２ダンパは、第２ダンパが開放されている時、第１ダンパが閉鎖されるように、サーモスタットによって制御される。
【０００５】
航空機ギャレー食事カートのベイドアが開放されている時、湿った空気の不必要な取り込みによる、ギャレー空気冷却器の時期尚早な、及び／または、予定外の除霜サイクルを回避するため、航空機ギャレー冷却システムの冷却器の気流を逆行させることができる装置であって、食中毒のリスクを抑えるため、航空機ギャレー食事カートの冷却された食事を設定温度以下に維持することを助ける装置を提供することが望ましい。本発明は、これら及び他の要求を満たす。
【発明の概要】
【課題を解決するための手段】
【０００６】
手短に大まかに言うと、本発明は、航空機ギャレーの冷却器の気流を逆行させる装置であって、飛行中の動作の間、ギャレーの冷却されたコンパートメントドアが開放されて、多くの温かく湿った空気を取り込んだ結果として起こるギャレー冷却装置または空気冷却器の蒸発器の凍結を制限する装置を提供する。これは、ギャレーダクト自体に一体化された電気作動型バイパスフラップであって、冷却装置または空気冷却器と独立して動作する電気作動型バイパスフラップによって、還気ダクトに、供給ダクト気流を迂回させることによって達成される。バイパスは、効果的に、再循環ショートカットループを形成し、これにより、冷却装置または空気冷却器が正常に機能を継続することができ、予定外の除霜サイクルを防止する。
【０００７】
従って、本発明は、ギャレー食事カートベイドアを有する１つ以上のギャレー食事カートと、供給気流ダクト及び還気流ダクトを有するギャレー冷却器空気供給及び還気ダクトアセンブリと、を備える航空機ギャレーの空気冷却器供給空気再循環システムの冷却器の気流を逆行させる装置を提供する。供給気流ダクトは、一般的に、冷却器装置から冷却された供給気流を受けるように構成された供給気流ダクト入口部分と、冷却された空気を１つ以上のギャレー食事カートに供給するように構成された供給気流ダクト出口部分と、を備え、還気流ダクトは、一般的に、１つ以上のギャレーカートから還気流を受けるように構成された還気入口部分と、冷却器装置に還気流を供給するように構成された還気出口部分と、を備える。現在好適な態様において、空気バイパスポートは、供給気流ダクトと還気流ダクトとの間に流体連通するように連結され、空気再循環バイパスフラップは、空気バイパスポートに隣接して移動可能に取り付けられて、空気再循環バイパスフラップが、供給気流ダクトを介した通常の気流循環を可能にする閉鎖構成と、供給気流ダクトの少なくともかなりの部分を塞ぎ、冷却器装置への再循環のために冷却された供給気流の少なくともかなりの部分を還気流ダクトに迂回させる開放構成との間で移動可能である。別の現在好適な態様において、還気流ダクトは、供給気流ダクトの少なくとも一部に隣接した連結部分を含み、空気バイパスポートは、連結部分に配置される。
【０００８】
別の現在好適な態様において、空気再循環バイパスフラップは、電気的に作動され、ソレノイドは、好ましくは、電気的に作動された空気再循環バイパスフラップに動作可能に連結されて、空気再循環バイパスフラップを閉鎖構成と開放構成との間で移動させるように構成される。別の現在好適な態様において、空気再循環バイパスフラップは、閉鎖構成に付勢される。
【０００９】
別の現在好適な態様において、ギャレー食事カートベイドアの開放を検出し、ギャレー食事カートベイドアの開放を示す電気信号を生成するように構成されたベイドア位置検出器が設けられ、ソレノイドは、ベイドア位置検出器に電気的に連結されてギャレー食事カートベイドアの開放を示す電気信号を受信し、ソレノイドは、空気再循環バイパスフラップを、ギャレー食事カートベイドアの開放を示す電気信号に応答して、閉鎖構成と開放構成との間で移動させるように構成される。別の現在好適な態様において、ベイドア位置検出器は、マイクロスイッチを備えてもよい。別の現在好適な態様において、ベイドア位置検出器は、例えば、赤外線検出器などの光電池を備えてもよい。
【００１０】
別の現在好適な態様において、空気再循環バイパスフラップの手動制御のため、マニュアルオーバーライド制御装置を随意的に設けることができる。別の現在好適な態様において、空気再循環バイパスフラップが閉鎖構成にあるか、または、開放構成にあるかを示すように構成された視覚的状態指示器を、随意的に設けることができる。
【００１１】
本発明の他の特徴および利点が、例として、本発明の動作を図示する添付の図面と合わせて以下の好適な実施形態の詳細な記載から明らかになるだろう。
【図面の簡単な説明】
【００１２】
【図１】本発明に係る、航空機ギャレーの空気冷却器供給空気再循環システムの冷却器の気流を逆行させる装置の概略図であって、閉鎖位置にある再循環バイパスフラップを示す、概略図である。
【図２】図１と同様の概略図であって、開放位置にある再循環バイパスフラップを示す、概略図である。
【発明を実施するための形態】
【００１３】
限定のためではなく、例示の目的のために提供される図面を参照すると、本発明は、（図示しない）航空機ギャレーの空気冷却器供給空気再循環システム１０の冷却器の気流を逆行させる装置であって、ギャレー冷却器空気供給及び還気ダクトアセンブリ１２に一体化された装置を提供し、ギャレー冷却器空気供給及び還気ダクトアセンブリ１２は、（図示しない）冷却器装置の蒸発器からの冷却された供給気流１８を受けるように構成された供給気流ダクト入口部分１６と、冷却された空気を（図示しない）１つ以上のギャレーカートに供給するように構成された供給気流ダクト出口部分２０と、を有する供給気流ダクト１４を備える。
【００１４】
ギャレー冷却器空気供給及び還気ダクトはまた、１つ以上のギャレーカートから還気流２６を受けるように構成された還気入口部分２４と、冷却器装置の蒸発器に還気流を供給するように構成された還気出口部分２８と、を有する還気流ダクト２２を備える。ギャレー冷却器空気供給及び還気ダクトは、有利には、供給気流ダクトと還気流ダクトとの間の空気バイパスポート３０と、電気的に作動された空気再循環バイパスフラップまたはダンパ３２とを備え、電気的に作動された空気再循環バイパスフラップまたはダンパ３２は、図１に示す、供給気流ダクトを介した通常の気流循環を可能にする閉鎖構成と、図２に示す、供給気流ダクトの少なくともかなりの部分を塞ぎ、冷却器装置に再循環させるため、冷却された供給気流の少なくともかなりの部分を還気流ダクトに迂回させる開放構成と、を有する。
【００１５】
空気再循環バイパスフラップまたはダンパは、一般的に、例えば、伸縮ばねまたは重量のバランスによって、閉鎖構成に付勢され、ソレノイド３４によって閉鎖構成と開放構成との間で移動可能である。ソレノイド３４は、一般的に、（図示しない）１つ以上のギャレー食事カートのベイドアの開放を検出するように構成されたベイドア位置検出器３６であって、ギャレー食事カートベイドアの開放を示す電気信号を生成するように構成された、例えば、マイクロスイッチ、光電池、赤外線検出器または同様の接触／非接触検出装置などの、ベイドア位置検出器３６からの電気信号によって、ソレノイドに電圧が印加されていない場合、空気再循環バイパスフラップまたはダンパを閉鎖構成に移動させるか、または、閉鎖構成への移動を可能にし、ソレノイドに電圧が印加されている場合、空気再循環バイパスフラップまたはダンパを開放位置に移動させる。
【００１６】
本発明の装置は、随意的に、空気再循環バイパスフラップまたはダンパの手動制御のためのマニュアルオーバーライド制御装置を備えてもよく、随意的に、空気再循環バイパスフラップまたはダンパが閉鎖構成にあるのか、または、開放構成にあるのかを示すように構成された視覚的状態指示器を備えてもよい。
【００１７】
本装置は、設定温度以下に冷却された食事を維持するための要件を満たす手段となり、ギャレー冷却システムを、暑い気候の際にギャレー領域を冷却する手段として誤用することを防止し、ギャレー食事カートベイドアが閉鎖された際、自動的に空気再循環バイパスフラップまたはダンパを正常動作位置に戻す。
【００１８】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
【図１】
2016533961.tif 000003
【図２】
2016533961.tif 000004
【国際調査報告】
2016533961.tif 000005
2016533961.tif 000006
2016533961.tif 000007